(57)【要約】  【課題】原稿搬送系と記録シート搬送系の部品や機能を共通化することにより装置本体の小型化と低コスト化を実現させるとともに、読取手段の読取面や白色板が汚れた場合でも、使用者が汚れた部分を容易に清掃することができる画像読取記録装置を提供する。  【解決手段】搬送方向の上流から分離給送手段６０２、読取手段２８、搬送手段１０、１６、排紙手段１７、１８の順に配置され、読取手段は読取面２２ａを上向きにして原稿１２の下面を読み取るように配設され、読取手段２８の読取面２２ａと対面する白色板２５が開閉可能に配置されている。【選択図】                図１
2006311250.tif 000002
【特許請求の範囲】
【請求項１】
記録シートに記録する記録手段と、
原稿を読み取る読取手段と、
前記記録手段又は前記読取手段に記録シート又は原稿を供給するために積載シートの最上位のものから順次給送する分離給送手段と、
記録シート又は原稿を搬送するための搬送手段と、
記録シート又は原稿を排出するための排紙手段とを備え、
搬送方向の上流から分離給送手段、読取手段、搬送手段、記録手段、排紙手段の順に配置され、
前記読取手段は読取面を上向きにして原稿の下面を読み取るように配設されることを特徴とする画像読取記録装置。
【請求項２】
前記読取手段の読取面と対面する白色板が開閉可能に配置されていることを特徴とする請求項１に記載の画像読取記録装置。
【請求項３】
複数枚積載された原稿の最上位の原稿から順次読み取り、全ての原稿を読み取った後に原稿の順序を逆にして最下位の原稿の読取情報から転送することを特徴とする請求項１又は２に記載の画像読取記録装置。
【請求項４】
前記記録手段は搬送される記録シートの上側から該記録シートの上面に画像を記録するように配置され、
複数枚積載された原稿の最上位の原稿から順次読み取り、全ての原稿を読み取った後に前記記録手段で読取情報を記録する複写動作を行う場合は、原稿の順序を逆にせず最上位の原稿の読取情報から転送して前記複写動作を行うことを特徴とする請求項１〜３のいずれか１項に記載の画像読取記録装置。
【発明の詳細な説明】
【技術分野】
【０００１】
本発明は、記録シートに記録する記録手段と原稿を読み取る読取手段とを一体的に備えたファクシミリ等の画像読取記録装置に関する。
【背景技術】
【０００２】
図６は従来の画像読取記録装置の構成をファクシミリを例に挙げて示す模式的縦断面図である。図６において、記録シートＰは記録シート保持部材（記録シートトレイ）３０３上に積載され、記録シート給送ローラ３０４と不図示の分離機構によって１枚ずつファクシミリ３００の装置本体３００Ａ内に供給される。装置本体３００Ａ内に給紙された記録シートＰは、搬送ローラ３０５により記録手段３０６を通して搬送され、記録手段３０６によって画像を記録される。記録された記録シートＰは排紙ローラ３０７によって装置本体外（矢印Ｂ方向）へ排出される。
【０００３】
一方、原稿Ｄは原稿保持部材（原稿トレイ）３０８上に載置され、原稿給送ローラ３０９と分離片３１３からなる分離給送手段のくさび形部分に突き当たる状態でセットされている。画像読取命令によって原稿給送ローラ３０９が回転すると、前記くさび形部分に留められた複数枚の原稿のうち、給送ローラ３０９に接している原稿のみが該給送ローラとの摩擦力により他の原稿から分離されて給送される。
【０００４】
分離給送された原稿Ｄは、原稿搬送ローラ３１０及び押圧コロ３１４からなる搬送手段と排紙ローラ３１２及び押圧コロ３１５からなる排紙手段によって搬送され、コンタクトイメージセンサ３１１などの読取手段により画像情報を読み取られ、装置本体３００Ａの外（矢印Ａ方向）へ排出される。
【０００５】
前述のような記録シートに記録する記録手段と原稿を読み取る読取手段とを一体的に備えたファクシミリ等の画像読取記録装置においては、市場の要望等から装置を小型化しようとする場合、記録シートの搬送路と原稿の搬送路を共用させることが考えられる。これによると、例えば、原稿の搬送に用いていた給送ローラ及び排紙ローラ、並びに原稿搬送用の駆動モータ等が削除された構成となる。このような装置構成により、画像読取記録装置の小型化及びコストダウンが実現可能となる。
【０００６】
上記のような共通の搬送路を備えた画像読取記録装置においては、共通の搬送路へ導かれる記録シート及び原稿はそれぞれ別の分離給送手段で給紙してもよいが、小型化のためには同一の分離給送手段により給紙する方が望ましい。また、原稿上の画像情報を読み取るための読取センサは、共通の搬送路上で固定配置することが望ましい。ただし、読取センサを固定配置する場合は、記録動作のときに発生するインクミストの影響を無くしたり、給紙を失敗したときに起きるプラテンへの画像記録を無くすために、読取センサは共通の搬送ローラより手前（上流側）に配置することが望ましい（例えば特許文献１参照）。
【特許文献１】特開平７−１８３９９０号公報
【発明の開示】
【発明が解決しようとする課題】
【０００７】
しかしながら、上記特許文献１に開示されている構成では、記録動作のときに発生するインクミストや、記録シートや原稿からの紙粉などにより読取手段の読取面や白色板が汚れた場合に、使用者が汚れた部分を清掃することが困難であった。また、使用者が読取面や白色板を清掃できる構成にしようとすると、装置構成が複雑で大型になったり、コストアップを招くという不都合があった。
【０００８】
本発明はこのような技術的課題に鑑みてなされたものであり、本発明の目的は、原稿搬送系と記録シート搬送系の部品や機能を共通化することにより装置本体の小型化と低コスト化を実現させるとともに、読取手段の読取面や白色板が汚れた場合でも、使用者が汚れた部分を容易に清掃することができる画像読取記録装置を提供することである。
【課題を解決するための手段】
【０００９】
本発明による画像読取記録装置は、上記目的を達成するため、記録シートに記録する記録手段と、原稿を読み取る読取手段と、前記記録手段又は前記読取手段に記録シート又は原稿を供給するために積載シートの最上位のものから順次給送する分離給送手段と、記録シート又は原稿を搬送するための搬送手段と、記録シート又は原稿を排出するための排紙手段とを備え、搬送方向の上流から分離給送手段、読取手段、搬送手段、記録手段、排紙手段の順に配置され、前記読取手段は読取面を上向きにして原稿の下面を読み取るように配設されることを特徴とする。
【発明の効果】
【００１０】
本発明によれば、搬送方向の上流から分離給送手段、読取手段、搬送手段、記録手段、排紙手段の順に配置され、読取手段は読取面を上向きにして原稿の下面を読み取るように配設されるので、原稿搬送系と記録シート搬送系の部品や機能を共通化することにより装置本体の小型化と低コスト化を実現させるとともに、読取手段の読取面や白色板が汚れた場合でも、使用者が汚れた部分を容易に清掃することができる画像読取記録装置が提供される。
【発明を実施するための最良の形態】
【００１１】
以下、図面を参照して本発明の実施形態を具体的に説明する。なお、各図面を通して同一符号は同一又は対応部分を示すものである。本実施形態に係る画像読取記録装置は、記録媒体としての記録シートに画像を記録する記録機能と原稿の画像を読み取る読取機能とを有し、記録シート及び原稿に共通の搬送路に記録機能を有する記録部と読取機能を有する読取部とが配置されている装置である。図１は本発明による画像読取記録装置の一実施形態の構成を示す模式的縦断面図である。図２は図１の画像読取記録装置を右側上部から模式的斜視図である。図３は図１の画像読取記録装置において読取手段２８のコンタクトイメージセンサ（ＣＳ）２２の清掃を行うために白色板２５を開いた状態を示す模式的縦断面図である。図４は図１の画像読取記録装置において読取手段２８のコンタクトイメージセンサ２２の上下を逆にした参考例を示す模式的縦断面図である。
【００１２】
先ず、図１〜図３を参照して全体構成について説明する。図１〜図３において、記録部４６のシャーシ７には、記録手段である記録ヘッド（本実施形態ではカートリッジ）１を搭載したキャリッジ４を装置幅方向に往復移動（主走査）させるためガイドレール７ａが設けられている。シャーシ７の背面には、装置全体の制御を行うための制御基板５００が装着されている。
図５は図１の画像読取記録装置の制御基板５００及び該基板に接続された各機能部を示すブロック図である。図５において、制御基板５００は、不図示のケーブルによって、シート（記録シート及び原稿）を搬送するための駆動モータ２０、キャリッジ駆動モータ３３（図２）、不図示のスピーカ、操作部５０８、画像の読み取りを行う読取手段２８、電源５０５、電話機５０６、及び回線接続用ＮＣＵ５０４などと接続されている。
【００１３】
図１〜図３において、制御基板５００の更に後方には、記録シート２及び原稿１２を積載するためのベース部材３５と、記録シート２及び原稿１２の積載を補助するための給紙トレイ８と、記録シート及び原稿を分離給送するための分離給送手段（分離給送部）６０２が配設されている。分離給送部６０２は、給送ローラ１９が図１中の矢印Ａ方向に回転することで、原稿１２又は記録シート２の最上位のものから順次分離して読取部２８及び記録部４６へ向けて送り出すものである。このとき、リタ−ドロ−ラ１０３は、最上位以外のシート（原稿１２又は記録シート２）に対するブレ−キ部材として機能するものであり、不図示のトルクリミッタと協働し、最上位のみのシートが給送されるときは矢印Ｂ方向に回転又は停止し、最上位以外のシートも同時に給送されようとすると矢印Ｂと反対方向に回転又は停止することにより最上位のシートのみを分離給送するものである。
【００１４】
記録シート２及び原稿１２は、圧板９に着脱可能に取付けられたセパレータ１０２により各々隔てられて積載されている。本実施形態においては、原稿１２はセパレータ１０２の上面側に積載される。セパレータ１０２には、原稿のサイズに合わせて左右方向に移動可能なスライダ１１４が装着されている。分離給送部６０２によって分離給送された記録シート２又は原稿１２は、先ず読取部２８に達する。読取部２８を通過した記録シート２又は原稿１２は、搬送ローラ１０と複数（例えば４個）のピンチローラ１６からなる搬送手段によって侠持搬送され、記録部４６へ達する。記録又は読取を終了した記録シート２又は原稿１２は、排紙ローラ１７と拍車１８からなる排紙手段によって装置本体外へ排出される。
【００１５】
次に、図５を参照して、各部を駆動制御する制御系について説明する。図５において、５００ａは主に制御基板５００（図１、図２）上に実装される制御部である。この制御部５００ａは、ＡＣ商用電源を整流し装置全体に電力を供給する電源５０５、電話機５０６及び回線を接続するＮＣＵ基板５０４、操作部５０８から入力した内容等を表示する表示部５０９、原稿１２を読み取る読取部２８、駆動モータ２０及びキャリッジ駆動モータ３３（図２）等と接続されている。モジュラーは、ＮＣＵ基板５０４に実装されている。
【００１６】
制御部５００ａは、装置全体の制御を行うＣＰＵ５００ｈと、各種プログラムや各種データ等を格納したＲＯＭ５００ｆと、ＣＰＵ５００ｈのワークエリアとして使用されるとともに記録枚数等の各種データの一時保存を行うＲＡＭ５００ｇ等を有する。ラインメモリ５００ｂは画像データの各ラインのイメージを格納するものであり、原稿画像の送信（転送）又は複写（コピー）の場合には読取部２８からの１ライン分のイメージデータが格納され、画像データの受信の場合は復合された１ライン分のイメージデータが格納される。そして、ラインメモリ５００ｂに格納された各種データを後述する記録手段に出力することによって画像記録が行われる。
【００１７】
制御部５００ａに設けられた符号化／復合化部５００ｃは、送信する画像情報をＭＨ符号化等により符号化し、受信した符号化画像データを復合化してイメージデータに変換する。バッファメモリ５００ｄには、送受信された符号化画像データが格納される。本実施形態では、駆動モータ２０として定電流型のパルスモータが使用されている。駆動モータ２０の駆動は、ＣＰＵの出力ポートからの信号をモータドライバ５００ｊによって相信号に変換し、この相信号を該駆動モータに伝達することにより行われる。
【００１８】
本実施形態では、記録シート２を分離給送し搬送する動作、原稿１２を分離給送すると同時に読取部２８を通して該原稿を移動させる（搬送する）読取動作、並びに、記録ヘッド１の画像記録性能を維持回復するためのヘッド回復動作は、同一の駆動モータ２０により行われている。すなわち、駆動モータ２０が正転するときの駆動、不図示の駆動切替手段によって、記録駆動手段６０３を介して記録シート２の給送搬送機構へ伝達可能となり、読取駆動手段６０４を介して原稿１２の給送搬送機構へ伝達可能となるように、駆動伝達の切替を行うことができる。また、駆動モータ２０が逆転するときの駆動は、ワンウエイクラッチ等の一方向伝達手段を介してヘッド回復手段６０５（図５）へ伝達される。
【００１９】
ただし、記録シート２の搬送には１ライン毎の高い送り精度を必要とすることから、読取動作で必要な駆動トルクと記録動作及び回復動作で必要な駆動トルクとでは、その値が異なる。そこで、読取動作に入る際に、ＣＰＵ５００ｈのポートから切り替え回路５００ｉに対してＨｉｇｈ信号（切り替え信号）を送ってドライバ５００ｊへのリファレンス電流値を変えることで、駆動モータ２０のピーク電流を切り替えている。これによって、同一の駆動モータ２０を共用することによるコストダウンと、必要トルクに合わせて電流をコントロールすることによる静音化とを実現することができる。
【００２０】
制御部５００ａには、更に、シート（記録シート及び原稿）の先後端を検知するためのＰＥＳ（Ｐａｐｅｒ  Ｅｄｇｅ  Ｓｅｎｓｏｒ、紙端センサ）２１と、給送ローラ１９の回転位相を検出する不図示のＲＰＳ（Ｒｏｌｌｅｒ  Ｐｏｓｉｔｉｏｎ  Ｓｅｎｓｏｒ）と、原稿の有無を検知する不図示のＤＳ（Ｄｏｃｕｍｅｎｔ  Ｓｅｎｓｏｒ）が設けられている。
【００２１】
次に、図１を参照して記録手段について説明する。記録手段である記録ヘッド１は、搬送ローラ１０もしくは排紙ローラ１７で搬送される記録シート２に画像を記録するものである。本実施形態では、記録手段として、画像データに基づいて、吐出面に配列された複数の吐出口から選択的にインクを吐出して記録するインクカートリッジからなる記録ヘッド１が使用されている。この記録ヘッド１により記録シート２の上面に画像が形成される。また、インクカートリッジ１は、複数の微細な吐出口（ノズル）、各吐出口に通じる液路、各液路の一部に配置されたエネルギー作用部、各エネルギー作用部に液滴吐出エネルギーを発生させるためのエネルギー発生手段を備えている。
【００２２】
このようなインクジェット式の記録手段を用いる構成は、小型化及びランニングコストなどの面で有利である。ただし、インク滴の吐出に伴って発生するインクミスト（霧状微細インク滴）により記録ヘッド１の周辺にインクが付着する可能性があるため、レイアウトの設計には注意が必要である。本実施形態においては、インクミストによる不都合を回避するために、読取部２８を構成するコンタクトイメージセンサ（ＣＳともいう）２２は、搬送ローラ１０の上流側であって、シャーシ７により飛散インクから遮断された位置に配設されている。そのため、記録時のインクミストに対する懸念を無くすことができる。また、読取部２８は記録部４６における記録シート２の画像形成面から搬送方向上流側に離間しているので、記録部４６において紙ジャム等が生じても未定着インクがＣＳ２２の読取面や白色板（白基準）２５に付着するトラブルを回避することができる。
【００２３】
微細な吐出口からインクを吐出して記録するインクジェット記録装置においては、吐出口内方への気泡や塵埃の混入、あるいはインク溶剤の蒸発に伴うインクの増粘や固着に起因して吐出不良による画質劣化の可能性がある。そこで、本実施形態においては、吐出不良の要因を除去するために、吐出口内のインクをリフレッシュしたり、吐出口周辺部を清浄化するためのヘッド回復手段６０５が設けられている。
【００２４】
次に、キャリッジ４に搭載された記録ヘッド１によって記録シート２に画像を記録する記録部４６について説明する。図１〜図３において、キャリッジ４は、記録ヘッド１を搭載して記録シート２の幅方向に走査するものであり、装置本体の幅方向に互いに平行に設置されたガイド軸６０及びガイドレール７ａに沿って往復移動可能に案内支持されている。このキャリッジ４は、キャリッジ駆動モータ３３（図２）により、プーリ（不図示）に掛け渡された無端ベルト状のタイミングベルトを介して往復駆動される。こうして、キャリッジ４上の記録ヘッド１によって記録シート２を主走査しながら画像を記録していく。この場合の記録は、キャリッジ４の移動に同期して画像データに基づいて記録ヘッド１を駆動することにより行われる。
【００２５】
１ライン分の記録が終了すると記録シート２を搬送方向（副走査方向）に所定量だけ紙送りし、次いで、再びキャリッジ４の移動に同期して記録ヘッド１を駆動することで次の１ライン分の画像を記録していく。以下、上記の１ライン分の記録と所定ピッチの紙送りを交互に繰り返すことで記録シート２の全体の記録が行われる。記録シート２の紙送り（搬送）は、駆動モータ２０に駆動連結される搬送ローラ１０を所定量回転させることにより行われる。もしなんらかの理由（例えばモータの単品不良）により搬送ローラ１０の回転量が不安定になると、画像中に回転量オーバーによる白抜け部が生じたり、回転量不足による前ラインとの重ね打ち（黒い筋）が生じたりして画質劣化の原因となる。そのため、搬送ローラ１０の搬送量（回転量）には高い精度が要求される。
【００２６】
通常、キャリッジ４の待機位置（図２の位置）はガイドレール７ａの右端部に選定され、この待機位置では、吐出口周辺が乾燥しないように記録ヘッド１の吐出面をゴム状弾性体からなるキャップでキャッピングすることが行われている。また、読取動作の際にもキャリッジ４は待機位置に停止している。インクカートリッジ１のインクが無くなった場合の交換は、図２に示すキャッピングポジションでインクカートリッジ１を手前側に取り外すことで行う。
【００２７】
次に、記録シート２及び原稿１２を１枚ずつに分離して給送する分離給送手段６０２について説明する。図１〜図３において、シート積載部にはベース部材３５が設けられ、該ベース部材に設けられた給紙トレイ８上には複数枚の記録シート２が積載されている。また、１９は、シートを最上位のものだけを分離給送するための給送ローラである。給送ローラ１９はプラスチックで成型された軸部材１９ｂの１箇所に形成された該軸部材より大径の円筒部に摩擦弾性体１９ａを取付けて構成されている。
【００２８】
軸部材１９ｂの両端部はベース部材３５に軸支され、その一端は記録駆動伝達手段６０３（図５）を介して駆動モータ２０に駆動連結されている。圧板９は給送ローラ１９とベース部材３５との間に位置しベース部材３５に回動自在に軸支されている。この圧板９は、給送ローラ１９と一体に形成されたカムによって、該給送ローラの回転（図１中の矢印Ａ方向）に伴って該給送ローラの外周面と接触、離反するように駆動される。記録シート２の給送動作は、ベース部材３５の右側面を基準として行われる。また、摩擦弾性体１９ａは、原稿１２の幅方向の略中心に配置されている。
【００２９】
給送ローラ１９はＤ字状の断面形状をしている。給送ローラ１９は図１に示す待機状態でＤ字状の切り欠き部が記録シート又は原稿と対面する位置に停止している。駆動モータ２０の駆動が搬送ローラ１０を介して記録駆動手段６０３（図２）に伝達されると、分離給送手段６０２の給送ローラ１９が回転する。すると、給送ローラ１９の摩擦弾性体１９ａに接触したシート（記録シート２又は原稿１２）はリタードローラ３１でせき止められるが、該給送ローラ（摩擦弾性体１９ａ）に直接接した最上位のシートのみが、該給送ローラとの間の摩擦力により分離されてリタードローラ３１の対向部を乗り越えて送り出される（給送される）。
【００３０】
給送ローラ１９は１回転した後、再び円周から退避した切り欠き部（Ｄカット部）が記録シート又は原稿と対面し、かつ圧板９がカムによって押し下げられて待機状態に戻る。そのため、搬送ローラ１０により記録シート２又は原稿１２を搬送しているとき、該記録シート又は原稿が給送ローラ１９と接触することはない。そのため、記録シート２は、バックテンション等の影響を受けることなく、搬送ローラ１０により高精度で搬送することができる。なお、分離給送動作を開始しても記録シート２がＰＥＳ（ペーパーエッジセンサ、紙端センサ）２１に到達しない場合は、再度分離給送動作を実行する。それでもＰＥＳがオンにならない場合には、記録シート２又は原稿の搬送動作がエラーストップし、表示部５０９にエラー表示される。
【００３１】
次に、図１及び図２を参照して記録シート２の搬送動作について説明する。圧板９上に積載された複数枚の記録シート２の最上位の記録シートは、給送ローラ１９及びリタードローラ１０３からなる分離給送手段６０２により分離給送され、読取手段２８の白色板２５とＣＤ（コンタクトイメージセンサ）２２との間を通して案内給送され、次いで記録シート搬送路の下側の支持面として機能するプラテン３の上面に沿って案内給送され、そして、該プラテン３に軸支された搬送ローラ１０と該搬送ローラにされるピンチローラ１６との間のニップ部に挟持されることで該搬送手段１０、１６によって搬送される。プラテン３の上方に配置された記録ヘッド１により記録シート２の上面に画像が記録され、記録された記録シート２は排紙ローラ１７と複数の拍車１８とからなる排紙手段の間のニップ部に挟持されて搬送され、装置本体外へ排出される。
【００３２】
前記ピンチローラ１６は、搬送ローラ１０に当接するようにシート幅方向に配列された複数（例えば４個）のローラで構成されている。各ピンチローラ１６は、ピンチローラガイド３６に軸支され、該ピンチローラガイドをばね付勢することで搬送ローラ１０に圧接するように構成されている。前記排紙ローラ１７はプラスチックとエラストマー等を一体成型したものである。前記拍車１８は拍車ホルダ５５に軸支され、該拍車ホルダをばね付勢することで排紙ローラ１７に押し付けられている。また、プラテン３の記録シート支持面には、搬送方向に延びる複数のリブ３８（図２）がシート幅方向に並列状態で形成されている。記録動作等に際し記録シート２を搬送するときには、該記録シートは前記リブ３８の上面に沿って案内される。
【００３３】
搬送ローラ１０とピンチローラ１６による搬送方向は上流側から下流側に向けて斜め下方向に設定されており、また排紙ローラ１７と拍車１８による搬送方向は上流側から下流側に向けて斜め上方向に設定されている。これにより、搬送手段１０、１６による記録シート２の搬送（図１中の矢印Ｐ方向）は、該記録シートをプラテン３の記録シート支持面（上面）に当接させながら、浮きやバタツキを生じることなく安定した状態で高精度で行うことができる。
【００３４】
記録動作は、キャリッジ４の主走査移動に同期して、記録ヘッド１を画像情報に応じて駆動することにより行われる。本実施形態のように記録ヘッド１がインクジェット式である場合は、記録ヘッド１の吐出面に形成された複数の吐出口から画像情報に応じて選択的にインク滴を吐出させることで画像記録が行われる。この記録動作は、圧板９（記録シートトレイ８）に積載された複数枚の記録シートの最上位のものから１枚ずつ順次分離給送し、記録ヘッド１の下側（プラテン３の上側）を通して搬送する間に記録することで行われる。この場合、積載最上位の記録シートから順次、該記録シートの上面に記録され、記録された面を上にした状態で順次排出され、排紙トレイ等の上に最上位の記録シートから順に積載される。つまり、記録後の記録シート２は、最初に記録された記録シートが最下層になり、記録面を上面にした状態で、最後に記録された記録シートが最上位層になるように排紙されて積載される。
【００３５】
次に読取部２８における読取動作について説明する。読取部２８は、ＣＳ（コンタクトイメージセンサ）２２、白色板（白基準）２５及びＣＳホルダ２６から構成されている。本実施例においては、給送ローラ（ピックアップローラ）１９はセパレータ１０２及び原稿トレイ１１からなる原稿積載面に対して上方に配置されている。そのため、積載された複数枚の原稿１２は、最上位の原稿から順次分離給送されることになる。読取部２８は、図１及び図３に示すごとく、白色板２５が上方になり、原稿１２を挟んでＣＳ２２が下方に位置するような姿勢で配設されている。従って、ＣＳ２２の読取面（ガラス面）２２ａは図１及び図３中で上方を向いている。すなわち、本実施形態に係る画像読取記録装置においては、搬送方向の上流から分離給送手段６０２、読取手段２８、搬送手段１０、１６、排紙手段１７、１８の順に配置され、読取手段２８は読取面２２ａを上向きにして原稿１２の下面を読み取るように配設されている。
【００３６】
また、白色板２５は、ＣＳホルダに対して回動自在に軸支されており、図１に示すようにＣＳ２２の読取面２２ａと所定隙間をもって対面する閉じ位置（使用位置）と、図３に示すように該読取面２２ａを開いた開放位置との間で回動操作することができる。図３に示すように白色板２５を開いた状態では、使用者はＣＳ２２の読取面２２ａに容易にアクセスすることができる。従って、読取面２２ａにインクや紙粉等の異物が付着し、黒線や白線等の読取画像の劣化が起こるような場合でも、該読取面２２ａを容易に清掃することができ、読取画像の劣化を無くすことができる。
【００３７】
図４に示すように、読取部２８がＣＳ２２の読取面２２ａを下にして装着された参考例に係る構成においては、ＣＳ２２により原稿１２の上面を読み取ることになり、読み取りの上下方向が図１（本実施形態）の構成と逆になる。そのため、積載された複数枚の原稿１２の表面側（上面側）を最上位の原稿から順次読んでいくことが可能となり、それによって、使用者が積載した複数枚の原稿の表面側を最上位（最上層）から順番通りに読み取ることが可能となる。しかし、図４に示す構成では、ＣＳ２２の読取面２２ａや白色板２５の対向面が汚された場合の清掃がきわめて困難になるという不都合がある。
【００３８】
図４に示す参考例のように、ＣＳ２２の読取面２２ａが下向き面（裏面）となるように装着された場合に該読取面２２ａや白色板２５を清掃する手段としては、例えば、装置本体の底面のＣＳ２２と対向する部位に開口を設け、使用者が装置本体の底面側から清掃することが考えられる。しかし、このような装置底面側から清掃する方法では、使用者が装置本体を裏返すことになり、装置底面から更に奥まった位置に読取面２２ａや白色板２５が存在していることもあって、インクやゴミ等の異物が除去されたか否かを判別することが困難であり、また、装置底面側のＣＳ２２の対向部（下方部位）は装置本体にとって空き空間となり、スペース効率が低下し装置本体が大型になるという不都合が生じる。
【００３９】
さらに、図４の構成においては、読取手段（読取部）２８自体、もしくはＣＳ２２のみを図４中の矢印Ｅ方向に回動させることにより一旦読取面２２ａの向きを上方に変え、この状態で使用者が読取面２２ａや白色板２５を清掃する方法も考えられる。しかし、読取部２８にしても、ＣＳ２２にしても、読み取った画像データをＣＰＵ５００ｈに転送するためのケーブルや電気配線があり、また、清掃後には読取面２２ａや白色板２５を装置本体内の元の位置に正確に戻す必要があり、結局は、コスト高の要因となるばかりか、ＣＳ２２等の回動のための空き空間が必要になるため、装置本体が大型になるという不都合が生じる。
【００４０】
これに対し、図１〜図３に示す本実施形態においては、記録シート２に記録する記録手段である記録ヘッド１と、原稿１２の画像面を読み取る読取手段２８と、記録手段又は読取手段に記録シート又は原稿を供給するために積載シートの最上位のものから順次給送する分離給送手段６０２と、記録シート又は原稿を搬送するための搬送手段１０、１６と、記録シート又は原稿を排出するための排紙手段１７、１８とを備え、搬送方向の上流から分離給送手段６０２、読取手段２８、搬送手段１０、１６、記録手段１、排紙手段１７、１８の順に配置され、読取手段２８は読取面２２ａを上向きにして原稿１２の下面を読み取るように配設されている。これに加えて、読取手段２８の読取面２２ａと対面する白色板２５が開閉可能に配置されている。
【００４１】
そして、図１〜図３の本実施形態においては、複数枚積載された原稿１２の最上位の原稿から順次画像を読み取っていき、全ての原稿を読み取った後に原稿の順序を逆にして、最下位の原稿の読取情報から情報を転送する。
また、記録手段である記録ヘッド１は搬送される記録シート２の上側から該記録シートの上面に画像を記録するように配置され、複数枚積載された原稿１２の最上位の原稿から順次読み取り、全ての原稿を読み取った後に記録手段１で読取情報を記録する複写動作を行う場合は、原稿の順序を逆にせず最上位の原稿の読取情報から情報を転送して複写動作を行う。
【００４２】
図１〜図３の構成によれば、先ず、搬送方向の上流から分離給送手段、読取手段、搬送手段、記録手段、排紙手段の順に配置され、読取手段は読取面を上向きにして原稿の下面を読み取るように配設されるので、原稿搬送系と記録シート搬送系の部品や機能を共通化することにより装置本体の小型化と低コスト化を実現させるとともに、読取手段の読取面や白色板の白色面が汚れた場合でも、使用者が汚れた部分を容易に清掃することができる画像読取記録装置が提供される。
【００４３】
また、図１〜図３の構成によれば、複数枚積載された原稿の最上位の原稿から順次読み取り、全ての原稿を読み取った後に原稿の順序を逆にして最下位の原稿の読取情報から転送するように構成し、さらに、記録手段は搬送される記録シートの上側から該記録シートの上面に画像を記録するように配置され、複数枚積載された原稿の最上位の原稿から順次読み取り、全ての原稿を読み取った後に記録手段で読取情報を記録する複写動作を行う場合は、原稿の順序を逆にせず最上位の原稿の読取情報から転送して前記複写動作を行うように構成するので、転送（送信）する原稿のペ−ジ順を積載された原稿の順番のまま送ることが可能になるとともに、積載された原稿のペ−ジ順のまま記録シートに読取画像を記録する複写（コピ−）された記録シートを受け取ることができる。
【００４４】
図１を用いて読取部２８についてさらに説明する。読取部２８は、ＣＳ２２、白色板（白基準）２５及びＣＳホルダ２６からなり、ＣＳ２２はＣＳホルダ２６に成形された凹部にセンサ面（読取面）２２ａが外側（図示の例では上側）になるように収容され、該ＣＳホルダ２６に締結部材（ネジ）で位置決め固定されている。白色板２５は白色のシートを金属板に固着して形成されている。この金属板は、白色シートが固着される平面と、長手方向両端部を折り曲げて形成された両側板とで構成されている。なお、前記白色シートを固着する代わりに、前記金属板に白色塗装を施しても良い。
【００４５】
白色板２５の前記両側板には孔が形成されており、ＣＳホルダ２６に形成された軸がこの孔に嵌合している。これによって、白色板２５はＣＳホルダ２６及びＣＳ２２に対して回動（開放）可能に軸支されている。さらに、白色板２５は不図示のねじりコイルバネによりＣＳ２２側に付勢されている。また、白色板２５の両側板の外側面に突起を設けることにより、該白色板２４の白色面とＣＳ２２のセンサ面２２ａとの間に所定の隙間が形成されている。つまり、白色板２５がＣＳ２２に対して付勢された状態で、ＣＳ２２のセンサ面２２ａと白色板２５の白色面（例えば白色シート）との間に、少なくとも１枚の原稿を搬送できるような隙間が形成されている。
【００４６】
白色板２５は前記ねじりコイルバネによりＣＳ２２側に付勢されており、該ねじりコイルバネに抗して図３に示すように白色板２５を開放することにより、白色板２５の白色面あるいはＣＳ２２の読取面２２ａがインクやホコリ等で汚れた場合に、使用者は汚れた部分を確実に清掃することができる。
【００４７】
なお、前述の実施形態では、記録部がキャリッジに搭載した記録ヘッドで記録するシリアルタイプである場合を例に挙げて説明したが、本発明は、フルラインヘッド等からなるラインタイプの記録手段を用いる画像読取記録装置など、他の記録形態の画像読取記録装置に対しても同様に適用できるものであり、同様の作用効果を奏するものである。また、前述の実施形態では、記録部がインクジェット式である場合を例に挙げて説明したが、本発明は、熱転写式、感熱式、レーザビーム照射式、ワイヤドット式など、記録方式の如何に関わらず適用可能なものであり、同様の作用効果を奏するものである。
【００４８】
また、本発明は、記録手段（記録ヘッド）の構造や数にも関係なく、同様に適用することができ、同様の効果を達成し得るものである。さらに、本発明に係る画像読取記録装置は、装置単体のみならず、複写機、ファクシミリ、撮像画像形成装置などを組み合わせた複合装置における画像読取記録装置、さらにはコンピュータシステムなどの複合装置の入出力機器としての画像読取記録装置など、画像情報の読取や記録を行う装置に対して広く適用可能であり、同様の作用効果を奏するものである。
【図面の簡単な説明】
【００４９】
【図１】本発明による画像読取記録装置の一実施形態の構成を示す模式的縦断面図である。
【図２】図１の画像読取記録装置を右側上部から模式的斜視図である。
【図３】図１の画像読取記録装置において読取手段のコンタクトイメージセンサ（ＣＳ）の清掃を行うために白色板を開いた状態を示す模式的縦断面図である。
【図４】図１の画像読取記録装置において読取手段のコンタクトイメージセンサの上下を逆にした参考例を示す模式的縦断面図である。
【図５】図１の画像読取記録装置の制御基板及び該基板に接続された各機能部を示すブロック図である。
【図６】従来の画像読取記録装置の構成をファクシミリを例に挙げて示す模式的縦断面図である。
【符号の説明】
【００５０】
１        記録手段（記録ヘッド、インクカートリッジ）
２        記録シート（記録媒体）
３        プラテン
４        キャリッジ
７        シャーシ
７ａ      ガイドレール
８        記録シートトレイ
９        圧板
１０      搬送ローラ（搬送手段）
１１      原稿トレイ
１２      原稿（シート）
１６      ピンチローラ
１７      排紙ローラ（排紙手段）
１８      拍車
１９      給送ローラ
１９ａ    摩擦弾性体
１９ｂ    軸部材
２０      駆動モータ
２１      ＰＥＳ（ページエッジセンサ）
２２      ＣＳ（コンタクトイメージセンサ）
２２ａ    読取面（センサ面）
２５      白色板（白基準）
２６      ＣＳホルダ
２８      読取手段（読取部）
３１      リタードローラ
３３      キャリッジ駆動モータ
３８      リブ（プラテンの支持面）
４６      記録部
５５      拍車ホルダ
１０２    セパレータ
５００    制御基板
５００ａ  制御部
６０２    分離給送手段（分離給送部）
６０３    記録駆動伝達手段
６０４    読取駆動伝達手段
【図１】
2006311250.tif 000003
【図２】
2006311250.tif 000004
【図３】
2006311250.tif 000005
【図４】
2006311250.tif 000006
【図５】
2006311250.tif 000007
【図６】
2006311250.tif 000008